(57)【特許請求の範囲】
【請求項１】
底板２外周から円筒状の主筒３を起立すると共に、該主筒との間に間隙をおいて底板２から起立させた脚筒４上端をピストン５とした基筒部材１と、
上記ピストン外面と主筒３の上部内面とに下方筒部の内外面を摺動可能に嵌合させて摺動筒12を起立し、該摺動筒上端部にノズル13付きキャップ14を水密に嵌合させた作動筒部材11とを有し、
上記主筒３の上下方向へ傾斜させて、水平部31a と垂直部31b とを交互に連続する階段状屈折長孔31を穿設し、又該長孔の上部外面へ当接させた摘み板32の内面から長孔上部内へ、該長孔内を摺動可能なピン33を突出させたストッパ部材34を設け、ピン33の内端部上面へ上記摺動筒12の下端面を係合させた
ことを特徴とする練状物等注出容器。
【請求項２】
上記屈折長孔垂直部31b の各長さをほぼ等しく設けた
ことを特徴とする、請求項１記載の練状物等注出容器。
【請求項３】
上記ノズル付きキャップ14ないし摺動筒12の上部内面に、吐出弁を設けた
ことを特徴とする請求項１又は２記載の練状物等注出容器。
【請求項４】
上記屈折長孔31を、主筒３の左右両部へ対称に穿設すると共に、ストッパ部材34は、主筒３の外面へ摺動可能に嵌合させた半円状弾性板51の両端部を摘み板32,32 として形成した
ことを特徴とする、請求項１、２又は３記載の練状物等注出容器。
【発明の詳細な説明】
【０００１】
【発明の属する技術分野】
本発明は練状物等注出容器に関する。
【０００２】
【従来の技術】
練状物等注出容器として、一般にチューブ容器が知られている。
【０００３】
【発明が解決しようとする課題】
近時例えば一週間ほぼ同量の練状化粧品を毎日使用し続けることでその化粧料の効能を確かめることが可能とした試供品が要望されているが、このような試供品収納容器として上記従来のチューブ容器は、毎日の注出量を等分して注出させ続けることが困難である。
【０００４】
本発明は、上記試供品収納容器に適するよう設けたものである。
【０００５】
【課題を解決するための手段】
第１の手段として底板２外周から円筒状の主筒３を起立すると共に、該主筒との間に間隙をおいて底板２から起立させた脚筒４上端をピストン５とした基筒部材１と、
上記ピストン外面と主筒３の上部内面とに下方筒部の内外面を摺動可能に嵌合させて摺動筒12を起立し、該摺動筒上端部にノズル13付きキャップ14を水密に嵌合させた作動筒部材11とを有し、
上記主筒３の上下方向へ傾斜させて、水平部31a と垂直部31b とを交互に連続する階段状屈折長孔31を穿設し、又該長孔の上部外面へ当接させた摘み板32の内面から長孔上部内へ、該長孔内を摺動可能なピン33を突出させたストッパ部材34を設け、ピン33の内端部上面へ上記摺動筒12の下端面を係合させた。
【０００６】
第２の手段として、上記第１の手段を有すると共に上記屈折長孔垂直部31b の各長さをほぼ等しく設けた。
【０００７】
第３の手段として、上記第１又は第２の手段を有すると共に上記ノズル付きキャップ14ないし摺動筒12の上部内面に、吐出弁を設けた。
【０００８】
第４の手段として、上記第１、第２又は第３の手段を有すると共に上記屈折長孔31を、主筒３の左右両部へ対称に穿設すると共に、ストッパ部材34は、主筒３の外面へ摺動可能に嵌合させた半円状弾性板51の両端部を摘み板32,32 として形成した。
【０００９】
【発明の実施の形態】
以下図１から図３が示す第１実施形態について説明すると、本発明容器は、基筒部材と作動筒部材とを主要部材とし、上記基筒部材の主筒に作動筒部材の下降ストローク調整機構を設けた。
【００１０】
基筒部材１は、底板２外周から円筒状の主筒３を起立すると共に該主筒との間に間隙をおいて底板２から脚筒４を起立し、該脚筒上端部をピストン５とする。
【００１１】
11は作動筒部材で、上記ピストン５外面と主筒３の上部内面とに、下方筒部12a を嵌合させて摺動筒12を起立し、該摺動筒上端部内面に、ノズル13付きのキャップ14を嵌合させている。尚図示例ではキャップ14の周壁内面へ図３が示す吐出弁体15周壁を嵌合させている。キャップは摺動筒外面へ嵌合させてもよく、この場合摺動筒内面へ吐出弁体を嵌合させる。該弁体は頂板16外周から垂下する周壁17下端に外向きフランジ18を付設し、該外向きフランジを摺動筒12上部内面に周設した係合突条19上面へ載置させて、摺動筒の上部内面へ嵌合させたキャップ周壁下端面と係合突条19とで外向きフランジ18を挟持させている。吐出弁体は、その頂板16に図３が示すように上方からみて十字形状の切離し線20を設けており、練状物等が頂板下面へ圧接するとその切離し線が開いて弁孔が形成され、該弁孔を通って練状物等がノズル13を通って流出し、該流出によって頂板16下方の練状物加圧状態が解消すると、切離し線が形成する弾性片21が弾性復元して弁孔を閉塞するよう設けている。該吐出弁体は弾性に富むゴム等で形成することが望ましい。尚上記切離し線20で形成した吐出弁は公知の他の吐出弁に代えてもよい。又切離し線はＴ字形又直線でもよい。
【００１２】
作動筒部材11の下降ストローク調整機構は次のように形成する。図１が示すように既述基筒部材の主筒３に上下方向へ傾斜させて、水平部31a と垂直部31b とを交互に連続穿設した階段状屈折長孔31を穿設しておき、又その長孔上部へは、長孔外面へ当接させた摘み板32の内面から突出させたピン33を長孔下方への摺動が可能に長孔上部内へ挿入させたストッパ部材34を設け、ピン内端部上面へ既述摺動筒12の下端面を係合させる。ストッパ部材34は内外方への抜出しが不能に、ピン内端部33a 直径をピン中間部直径よりも大とし、かつピン外端部に別に設けた摘み板32を固着させている。
【００１３】
尚41は必要により設ける蓋体で、その周壁を主筒３の上端部外面へ嵌合させている。
【００１４】
上記構成において予め作動筒部材11の摺動筒12内へ練状物等を入れておき、蓋体41を外し、ストッパ部材34を最上位の水平部31a から横移動させて垂直部31b を通って下降させ、そのピン33を二番目の水平部31a 上へ載置させ、該状態から作動筒部材11を基筒部材１に対して押下げると、ピストン５に対して摺動筒12が下降することとなるため、摺動筒12内の練状物等はノズル13を通って注出される。尚吐出弁を設けた場合は該吐出弁通過の後、ノズルから注出される。
【００１５】
摺動筒12はストッパ部材34のピン内端部33a に接することで停止し、よってノズルからの注出量は摺動筒一回の下降分に相当する量となる。
【００１６】
既述屈折長孔31の垂直部31b の長さを等しくし、かつその垂直部の数を一週間分とすれば、上記操作を毎日反覆することで、一週間の間、毎日同量の練状物等を注出して使用することが可能となる。
【００１７】
図４と図５とは第２実施形態を示す。該実施形態は、作動筒部材の下降ストローク調整機構の階段状屈折長孔31を主筒３の左右両部へ対称に穿設し、又ストッパ部材34を、主筒３外面へ摺動可能に嵌合させた半円状弾性板51の両端部を摘み板32,32 として形成した。
【００１８】
その他構造は第１実施形態の場合とほぼ同じであり、よって説明は省略する。
【００１９】
尚該第２実施形態の場合は、半円状弾性板51がその両端が形成する摘み板32,32 を屈折長孔上部の外面へ圧接することとなるため、第１実施形態の場合のようにピン内端部直径を大として、屈折長孔からの抜出しを防止する必要はない。
【００２０】
該実施形態の場合は、半円状弾性板51を主筒３に対して正方向へ回すことで両摘み板のピン33,33 を最上位の両水平部から外し、そのままストッパ部材34を押下げることで二番目の両水平部上へピン33,33 を移動させることが出来るから、該状態から作動筒部材11を押下げることで、摺動筒12内の練状物等を注出し、使用することが出来る。
【００２１】
尚既述各部材はそれぞれ合成樹脂で成形している。
【００２２】
【発明の効果】
本発明は既述構成とするものであり、請求項１記載の構成とすることで、予め定めた量の練状物を複数回に分けて注出することが出来、屈折長孔31を、水平部31a と垂直部31b とを交互に階段状に連続させて形成したから、垂直部を下降したピン33は必ず水平部31a で停止することとなり、更に停止した水平部上を横方向へ摺動させた後にだけ、ピン33は次の垂直部31b を下降できるから、操作の誤ちにより二つの垂直部を続けて下降させ、そのため作動筒部材押下げにより二回分の練状物等を注出することを防止できる。
【００２３】
請求項２のようにすることで、作動筒部材押下げ量を一定とすることが出来、
又各押下げ時における練状物注出量を等しくすることが出来る。
【００２４】
請求項３のように吐出弁を設けることで、摺動筒12内に外気が入ることを防止でき、練状物等が有する香気等の散失、又練状物等の酸化等を防止できる。
【００２５】
請求項４のようにすることで、半円状弾性板51で、屈折長孔31からピン33,33 の外方抜出しを防止させることが出来、又摺動筒12の左右両端部下端面をそれぞれピン33,33 が支持するから、作動筒部材11押下げ時に、主筒３に対して摺動筒をほぼ垂直に押下げでき、作動筒部材11の押下げが容易となる。
【図面の簡単な説明】
【図１】  本発明容器の斜視図である。
【図２】  図１容器の半断面図である。
【図３】  図１容器に使用している弁体の斜視図である。
【図４】  第２実施形態で示す容器の斜視図である。
【図５】  図４容器の半断面図である。
【符号の説明】
１  …基筒部材                  ３  …主筒
４  …脚筒                      ５  …ピストン
11  …作動筒部材                12  …摺動筒
13  …ノズル                    15  …吐出弁体
20  …切離し線                  31  …屈折長孔
31a …水平部                    31b …垂直部
32  …摘み板                    33  …ピン
34  …ストッパ部材              51  …半円状弾性板
【図１】
0003946488.tif 000002
【図２】
0003946488.tif 000003
【図３】
0003946488.tif 000004
【図４】
0003946488.tif 000005
【図５】
0003946488.tif 000006